(57)【要約】【課題】使用済み空の直方体形状の牛乳パックが、簡便にして能率的に１枚板形態に解体できる牛乳パック類の解体器を提供する。【解決手段】被解体牛乳パックＰの中空部へ、上方から挿入可能の直方体にして該直方体の外面１コーナーの下端に刃先を下方に臨ませる縦切断刃５を突設すると共に、該下端の方形周縁に針先を下方に臨ませるミシン目孔加工刃６を備えた解体刃体３から成り、縦切断刃５による縦方向切断とミシン目孔加工刃６による分離用ミシン目孔Ｍの加工によって、被解体牛乳パックＰを１枚板に解体可能にした構造の牛乳パック類の解体器が特徴である。【選択図】    図１
2004275235.tif 000002
【特許請求の範囲】
【請求項１】
直方体形状の被解体牛乳パック類の中空部へ、上方から挿入可能の直方体にして該直方体の外面１コーナーの下端に刃先を下方に臨ませる縦切断刃を突設すると共に、該下端の方形周縁に針先を下方に臨ませるミシン目孔加工刃を備えた解体刃体から成り、前記縦切断刃による縦方向切断と前記ミシン目孔加工刃による破断分離用ミシン目孔加工によって、前記被解体牛乳パック類を１枚板に解体可能にした構造を特徴とする牛乳パック類の解体器。
【請求項２】
被解体牛乳パック類の少くとも下端部分に外嵌可能にして縦切断刃の挿通スリットを有する直方体形の外枠部と、ミシン目孔加工刃の刃先収納溝を有して該外枠部の底部を成す台部を備えた解体加工補助器を付設した請求項１の牛乳パック類の解体器。
【請求項３】
直方体形状の被解体牛乳パック類に外嵌して上下方向にスライド自在の方形環体にして、かつ、刃先を下方に臨ませる縦切断刃を該方形環体のコーナーの内側に突設し、さらに、該方形環体の側方から前記被解体牛乳パック類の底部を受け入れるパック挿入口を有すると共に、該パック挿入口の入口側に刃先を臨ませる底部切断刃を備え、前記縦切断刃による縦方向切断と前記底部切断刃による底部周縁切断によって、前記被解体牛乳パック類を１枚板に解体可能にした構造を特徴とする牛乳パック類の解体器。
【発明の詳細な説明】
【０００１】
【発明の属する技術分野】
本発明は、使用済み空の牛乳パック類を、手作業で単板状に解体するのに用いる牛乳パック類の解体器に関するものである。なお、本発明における牛乳パック類とは、通常の牛乳パックの他、その牛乳パックと同一形態にしてジュース等の液体・粉体を封入したパックを含めたものをいう。
【０００２】
【従来の技術】
牛乳パック類（以下、単に牛乳パックという）は、直方体形状の紙質パックにして上方を開口して中味を取り出して使用する。そして、使用済み空のものをリサイクル使用可能に廃却するためには、単板状に解体してゴミ出しする必要がある。
【０００３】
そこで、その解体作業をし易くする従来技術として、特許文献１の「紙パック解体器」があり、両端開放の角筒体の内側コーナーにコーナー切断刃を突設した縦切断ガイド体と、両端解放コ字形状の内側コーナーに底切断刃を突設した溝体状の底切断ガイド体の独立２個のガイド体の組合せから成る構造を有している。
【０００４】
そして、その縦切断ガイド体の中空部に、上部を開口した使用済み空の被解体牛乳パックを通すことによって牛乳パックの縦コーナーの少くとも１コーナーを切断し、しかるのち前記底切断ガイド体の溝部を通すことによって方形底板の少くとも３辺を切断し、単一板体に手作業解体するようになっている。
【０００５】
【特許文献１】
特開２００１−０７９２８２公報
【０００６】
【発明が解決しようとする課題】
以上の公知例のものは、以下の不具合点がある。即ち、単一板体に解体するための手作業が、縦切断ガイド体による縦方向切断加工と、底切断ガイド体による底板切断の２操作となるので解体作業が面倒にして手数がかかり、その上、切断加工用ガイド体が２個組合せの為、構造複雑にして不使用時の管理が煩わしい。そして、牛乳パックの解体作業は一般家庭の主婦や子供が主として行う日常作業となるので、この点においても作業性のさらなる向上を図るべき点がある。
【０００７】
本発明は、以上の従来技術の難点を解消する牛乳パック類の解体器を提供するものである。
【０００８】
【課題を解決するための手段】
以上の技術課題を解決する本発明は「直方体形状の被解体牛乳パック類の中空部へ、上方から挿入可能の直方体にして該直方体の外面１コーナーの下端に刃先を下方に臨ませる縦切断刃を突設すると共に、該下端の方形周縁に針先を下方に臨ませるミシン目孔加工刃を備えた解体刃体から成り、前記縦切断刃による縦方向切断と前記ミシン目孔加工刃による破断分離用ミシン目孔加工によって、前記被解体牛乳パック類を１枚板に解体可能にした構造を特徴とする牛乳パック類の解体器」の第１発明の牛乳パック類の解体器と、
【０００９】
「直方体形状の被解体牛乳パック類に外嵌して上下方向にスライド自在の方形環体にして、かつ、刃先を下方に臨ませる縦切断刃を該方形環体のコーナーの内側に突設し、さらに、該方形環体の側方から前記被解体牛乳パック類の底部を受け入れるパック挿入口を有すると共に、該パック挿入口の入口側に刃先を臨ませる底部切断刃を備え、前記縦切断刃による縦方向切断と前記底部切断刃による底部周縁切断によって、前記被解体牛乳パック類を１枚板に解体可能にした構造を特徴とする牛乳パック類の解体器」の牛乳パック類の解体器の第２発明によって構成されている。
【００１０】
即ち、前記第１発明の牛乳パック類の解体器は、前記の縦切断刃とミシン目孔加工刃を併有する単一の解体器を、上方開口した空の被解体パックの中空部へ押入して該パックのコーナーを切断分離加工し、その押入ストロークの終点で若干強めに押圧することによって、該パックの底板の周縁に前記の破断分離用ミシン目孔加工を施し、その押入ワン操作による縦分離と底板の該ミシン目によって、直方体から一枚板への分離解体を可能にする構造を特徴とするものである。
【００１１】
そして、前記第２発明の牛乳パック類解体器は、前記の縦切断刃と底板切断刃を兼有する単一の解体器を同じく被解体パックに嵌めて縦方向にスライド移動させて該パックコーナーを切断分離加工し、その解体器に該パックの底部を嵌め込むことによって該パックの底板を直方体の側壁部位から分離解体して、直方体から一枚板への分離解体を可能にする構造を特徴とするものである。
【００１２】
そして、前記構成の第１発明は、特有作用のさらなる向上を図る意図から「被解体牛乳パック類の少くとも下端部分に外嵌可能にして縦切断刃の挿通スリットを有する直方体形の外枠部と、ミシン目孔加工刃の刃先収納溝を有して該外枠部の底部を成す台部を備えた解体加工補助器」を付設する態様を採択する。
【００１３】
【作用】
以上の第１発明の解体器は、単一形態の解体器を被解体牛乳パック類に押し込んで若干強めに押圧するワン操作の単純手作業によって直方体パックの一枚板解体が簡便かつ能率的にできる。
【００１４】
そして、第２発明の解体器は、被解体牛乳パック類に嵌めて縦方向に押し下げる縦切断刃による縦方向切断と、その被解体パックの底部へ横嵌めして底部切断刃による底板分離加工の２操作によって、単一解体器による直方体パックの一枚板解体作業が簡便かつ的確にできる。
【００１５】
【発明の実施の形態】
まず、図１・図２を参照して第１発明１実施形態の「牛乳パック類解体器１（以下、単に解体器１という）を説明する。即ち、解体器１は直方体形状の被解体牛乳パック類Ｐ（以下、単にパックＰという）の内側へ微小遊隙を介して上方からスライド挿入したりスライド抜きができる「下端開口・上端閉鎖にして側板４で方形に枠囲いした中空直方体形状（樹脂板製・金属板製）の解体刃体３」から成り、この解体刃体３は以下に詳述する縦切断刃５と、下端周縁に下方突設したミシン目孔加工刃６を備えている。
【００１６】
詳しくは縦切断刃５は、解体刃体３の直方体の１コーナーの下端位置に、該コーナーの外側に「刃先を下方に臨ませて」突設されており（図１（Ｂ）（Ｃ）参照）解体器１をパックＰの内側に挿入して押し下げると、縦切断刃５によってパックＰの直方体の１コーナーが上端から下端まで分離切断できる。
【００１７】
そして（図１（Ｂ）〜（Ｄ）参照）その解体刃体３の側板４の下端の方形の３辺には、針先を下方にして側板４の幅方向に密着並設した針体７群から成る「ミシン目孔加工刃６」を設け、（図２参照）パックＰに挿入して縦切断刃５でパックＰの縦コーナーを分離切断した後に若干強く押え込むと、ミシン目孔加工刃６によってパックＰの底板８の方形の３辺に「指先で容易に分離できる分離用ミシン目孔Ｍ」が穿設できるように成っている。
【００１８】
以上の解体器１によって前記の「パックＰの縦方向コーナーの分離切断加工による縦方向分離ラインＬ」と「ミシン目孔加工刃６による分離用ミシン目孔Ｍ」を施すとパックＰは図２（Ｃ）のように一枚板状態に極めて容易にして、的確に解体できる。なお、図中のＢは操作用握み部、９はパックＰの口を開いた開口片、Ｓは予めパックＰの下に敷設して底板８を突き破ったミシン目孔加工刃６の針先部分を受け入れる軟質シートである。
【００１９】
続いて図３を参照して第１発明の他の実施形態の解体器１を説明する。即ち、前記実施形態と同一の解体刃体３から成るものにおいて、パックＰの少くとも下端部分を上方から微小遊隙を介してスライド自在に受け入れる中空有底の直方体形状にして、かつ、直方体の１コーナーに解体刃体３の縦切断刃５の挿通スリット１３を上端から下端まで切設した外枠部１１と、この外枠部１１を載設固定した台部１２から成る解体加工補助器１０（以下、単に補助器１０という）を付設している。
【００２０】
詳しくは、補助器１０の外枠部１１の高さは、市汎流通している「同一の直方体サイズにして高さのみが大小異なるパックＰ」のいずれにも使用できるよう、その小なるサイズのパック高に適する高さを有し、台部１２には（図３（Ｂ）参照）パックＰの底板８を突き破った「ミシン目孔加工刃６」を受け入れる刃先収納溝１４が凹設されている。
【００２１】
そして（図３（Ｃ）参照）補助器１０にパックＰの下半部分を挿入セットして立設固定し、しかるのち、そのパックＰに前記実施形態の解体刃体３を挿入して縦切断刃５によってパックＰに縦方向分割ラインＬを切設すると共に、ミシン目孔加工刃６によって底板８に分離用ミシン目孔Ｍを穿設し、パックＰを１枚板に解体できるように加工する。
【００２２】
以上の図１〜図３実施形態の解体器１は前記の作用があり、単一の解体刃体３によって「使用済み空のパックＰ」を簡便かつ能率的に１枚板に解体できる。そして、図３実施形態のものはパックＰの少くとも下端部分を補助器１０に挿着して立設姿勢を安定保持するので、縦切断刃５による切断加工が特段にし易くなると共に、前記例示の軟質シートＳは不用にして解体加工がし易くなり、さらに、不使用時には解体刃体３を補助器１０に差し込みセットして保管できるので、縦切断刃５・加工刃６の露出を防止して安全性が確保できる。以上の特有作用がある。
【００２３】
次に図４・図５を参照して第２発明１実施形態の牛乳パック類解体器２（以下、単に解体器２という）を説明する。即ち（図４参照）解体器２は「使用済み空にして上方開口したパックＰ」に、微小有隙を介して外嵌して上下方向にスライド自在の方形環体にして、その方形の中空部分をパック貫通孔２０にした方形環体１５が主体を構成し、その方形環体１５の方形１コーナーの内側には刃先を下に臨ませる縦切断刃５が突設されている。
【００２４】
そして、この方形環体１５は、上下方向に帯幅を有する３個の縦枠片１７と「縦枠片１７の端部底を相互連結した帯状の連結平板１８」によって方形枠を形成し、その連結平板１８上の縦枠片１７不存在部分が「パックＰを横方向から出し入れできるパック挿入口２１」に形成されている。
【００２５】
そして、そのパック挿入口２１の側壁には「刃先をパック挿入口２１の入口側に臨ませる底板切断刃１６が突設されると共に、この底板切断刃１６は連結平板１８の上面との間にパックＰの底板８を通過させる底板クリアランスＣ（図４（Ｅ））を有しており、パック挿入口２１からパックＰを手作業で押し込み挿入すると、底板切断刃６によってパックＰの底板８の周縁部分がパックＰの側板４から切断分離できる。
【００２６】
以上の構造の解体器２によってパックＰを、以下の手法によって１枚板に解体加工する。即ち（図５参照）解体器２を「上方開口したパックＰの上方から嵌めて、強めに押し下げて縦切断刃５によってパックＰの１コーナーに縦方向分割ラインＬを形成する。そして、パックＰの底部分をパック挿入口２１に押し込んで底板切断刃１６によってパックＰの１方向の底板周縁に底板分離ライン２２を形成して、底板８の１辺を側板４から分離する。
【００２７】
そして、その底板周縁の１辺切断分離加工を、パックＰの異なる側板４の３辺に施すことによって底板８の方形周縁の３辺が分離加工され、パックＰを図１（Ｃ）に示す１枚板展開状態に解体加工する。なお、以上の加工方法による縦方向切断と底板周縁の分離切断は加工手順の制限はなく、いずれかを先加工する。
【００２８】
続いて、図６を参照して解体器２の他の実施形態を説明する。即ち、前記実施形態と同様な「方形環体１５と縦切断刃５と底板切断刃１６」を有するものにおいて、この実施形態のものは縦切断刃５と底板切断刃１６が「ハンドル２３によるロック・アンロック」によって進退セット自在に設定されており、前記の切断加工をしないときは後退させて縦枠片１７内に刃先を後退収納できるように成っている。
【００２９】
以上の図４〜図６実施形態の解体器２は、単一の解体器２によってパックＰの１枚板分離解体が的確にできると共に、不使用時の保管が便利になる。そして、図６実施形態のものは不使用時の刃先露出が防止できるので安全性が向上する。
【００３０】
なお、本発明の解体器は前記実施形態に限定されず、第１発明の解体器１は、操作用握りＢを他の形状にしたり、ミシン目孔加工刃６を底板８の方形の１辺のみにして子供・主婦が加工し易い（このケースのものは３回押し付けて底板８の３辺に分離用ミシン目孔Ｍを加工する）ようにしたり、解体加工補助器１０の外枠部１１の高さをパックＰと等高にしたり、そして、第２発明の解体器２は、適当な操作用握りを設けたり、方形環体の断面形状を短形等にする等の変化がある。
【００３１】
【発明の効果】
以上の説明のとおり、本発明の牛乳パック類の解体器は、使用済み空の該パックの１枚板状態の解体加工が、簡便かつ的確にして不使用時の保管性も良く、一般家庭における使用済み牛乳パック類の解体加工を促進して紙質資源のリサイクル有効活用が積極的に促進される。以上の有用な効果がある。
【図面の簡単な説明】
【図１】第１発明１実施形態の解体器を示し、（Ａ）はその解体器と被解体パックの斜視図、（Ｂ）はその解体器の底面図、（Ｃ）は縦切断刃部分の拡大斜視図、（Ｄ）はミシン目孔加工刃を示す部分図
【図２】図１実施形態の解体器の用法を示し、（Ａ）はその全体斜視図、（Ｂ）は分離用ミシン目孔の加工説明図、（Ｃ）は被解体パックの解体状態の平面図
【図３】第１発明の他の実施形態の解体器の解体加工補助器を示し、（Ａ）はその全体斜視図、（Ｂ）はその正面断面図、（Ｃ）はその用法説明図
【図４】第２発明１実施形態の解体器を示し、（Ａ）はその全体斜視図、（Ｂ）はその平面図、（Ｃ）はその左側面図、（Ｄ）はその右側面図、（Ｅ）はその部分側面図
【図５】図４実施形態の解体器の用法を示し、（Ａ）（Ｂ）ともその用法説明の斜視図
【図６】第２発明の解体器の他の実施形態の平面図
【符号の説明】
１  第１発明の牛乳パック類の解体器
２  第２発明の牛乳パック類の解体器
３  解体刃体
５  縦切断刃
６  ミシン目孔加工刃
７  針体
８  底板
１０  解体加工補助器
１１  外枠部
１２  台部
１３  挿通スリット
１４  刃先収納溝
１５  方形環体
１６  底板切断刃
１７  縦枠片
１８  連結平板
２０  パック貫通孔
２１  パック挿入口
Ｃ  底板クリアランス
Ｌ  縦方向分割ライン
Ｍ  分離用ミシン目孔
Ｐ  被解体牛乳パック類
【図１】
2004275235.tif 000003
【図２】
2004275235.tif 000004
【図３】
2004275235.tif 000005
【図４】
2004275235.tif 000006
【図５】
2004275235.tif 000007
【図６】
2004275235.tif 000008